【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
化学発光標識からの化学発光を増強する方法であって、
式Ｉを有する分解可能なカチオン界面活性剤の存在下で酸および過酸化水素と化学発光標識とを接触させることを含む方法。
【化１】
2016524140.tif 000001
（式Ｉ中、Ｘは窒素またはリンであり、
Ｒ１、Ｒ２およびＲ３は、各々独立して、水素および一つ以上のヘテロ原子を有していてもよいアルキル基、アルケニル基、アルキニル基、シクロアルキル基またはアラルキル基から選択され、
Ｒ４およびＲ５は、各々独立して、一つ以上のヘテロ原子を有していてもよいアルキル基、アルケニル基、アルキニル基、シクロアルキル基またはアラルキル基から選択され、
Ｙは、切断可能な結合であり、
Ａ−は、Ｘ＋に対するアニオン性対イオンである。）
【請求項２】
前記化学発光標識が、アクリジニウムジメチルフェニルエステル、アクリジニウムスルホンアミド、またはこれらの誘導体もしくは複合体である請求項１に記載の方法。
【請求項３】
前記化学発光標識の発光時間を短縮し、それによって、界面活性剤のない場合の標準的発光時間よりも短縮された発光時間を提供することをさらに含み、前記短縮された発光時間は、塩化セチルトリメチルアンモニウムの発光時間に匹敵する請求項１に記載の方法。
【請求項４】
前記短縮された発光時間が、塩化セチルトリメチルアンモニウムの発光時間よりも短い請求項３に記載の方法。
【請求項５】
前記短縮された発光時間が、塩化セチルトリメチルアンモニウムの発光時間よりも約２０％短い請求項３に記載の方法。
【請求項６】
前記短縮された発光時間が、塩化セチルトリメチルアンモニウムの発光時間よりも約３０％短い請求項３に記載の方法。
【請求項７】
前記短縮された発光時間が、塩化セチルトリメチルアンモニウムの発光時間よりも５０％短い請求項３に記載の方法。
【請求項８】
前記界面活性剤が、前記化学発光標識の総光出力を増強するうえで、塩化セチルトリメチルアンモニウムと同程度に効率的である請求項１に記載の方法。
【請求項９】
前記化学発光標識の化学発光を増加させ、それによって、界面活性剤のない場合の標準的発光よりも増加した発光を提供することをさらに含み、前記増加した発光は、塩化セチルトリメチルアンモニウムの発光の増加に匹敵する請求項１に記載の方法。
【請求項１０】
前記増加した発光が、界面活性剤のない場合の前記標準的発光と比較して、少なくとも２．５倍増強されている請求項９に記載の方法。
【請求項１１】
前記増強が、塩化セチルトリメチルアンモニウムの発光増強の少なくとも７０％である請求項９に記載の方法。
【請求項１２】
前記増強が、塩化セチルトリメチルアンモニウムの発光増強の少なくとも８０％である請求項９に記載の方法。
【請求項１３】
前記増強が、塩化セチルトリメチルアンモニウムの発光増強の少なくとも９０％である請求項９に記載の方法。
【請求項１４】
前記界面活性剤が、前記化学発光標識の発光時間を短縮するうえで塩化セチルトリメチルアンモニウムと少なくとも同程度に効率的である請求項９に記載の方法。
【請求項１５】
Ｒ１、Ｒ２およびＲ３が、各々独立して、一つ以上のヘテロ原子を有していてもよいＣ１−１０アルキル基、Ｃ２−１０アルケニル基、Ｃ２−１０アルキニル基、Ｃ３−１０シクロアルキル基またはＣ４−１０アラルキル基である請求項１に記載の方法。
【請求項１６】
Ｒ４が、一つ以上のヘテロ原子を有していてもよいＣ１−２０アルキル基、Ｃ２−２０アルケニル基、Ｃ２−２０アルキニル基、Ｃ３−２０シクロアルキル基またはＣ４−２０アラルキル基である請求項１に記載の方法。
【請求項１７】
Ｒ５が、Ｃ１−３０アルキル基、Ｃ２−３０アルケニル基、Ｃ２−３０アルキニル基、Ｃ３−３０シクロアルキル基またはＣ４−３０アラルキル基である請求項１に記載の方法。
【請求項１８】
Ｙが、加水分解条件下で分解可能である請求項１に記載の方法。
【請求項１９】
Ｙが、炭酸エステル結合、アミド結合、エステル結合またはこれらのあらゆる組み合わせから選択される請求項１８に記載の方法。
【請求項２０】
Ａ−が、塩化物イオン、臭化物イオン、ヨウ化物イオン、硫酸イオン、スルホン酸イオンまたは水酸化物イオンである請求項１に記載の方法。
【請求項２１】
前記界面活性剤が、化合物１または化合物２またはこれらの混合物である請求項１に記載の方法。
【化２】
2016524140.tif 000002
【請求項２２】
免疫アッセイキットであって、
ａ）アクリジニウムジメチルフェニルエステル、アクリジニウムスルホンアミド、またはこれらの誘導体もしくは複合体を有する化学発光標識、
ｂ）酸、過酸化水素および式Ｉを有する分解可能なカチオン界面活性剤を含む酸性試薬、ならびに
【化３】
2016524140.tif 000003
（式中、Ｒ１、Ｒ２およびＲ３は、各々独立して、水素および一つ以上のヘテロ原子を有していてもよいアルキル基、アルケニル基、アルキニル基、シクロアルキル基またはアラルキル基から選択され、
Ｒ４およびＲ５は、各々独立して、一つ以上のヘテロ原子を有していてもよいアルキル基、アルケニル基、アルキニル基、シクロアルキル基またはアラルキル基から選択され、
Ｘは窒素またはリンであり、
Ｙは、切断可能な結合であり、
Ａ−は、Ｘ＋に対するアニオン性対イオンである。）
ｃ）アルカリ性水酸化物を含む塩基性試薬
を含むキット。
【請求項２３】
前記化学発光標識が、アクリジニウムジメチルフェニルエステル、アクリジニウムスルホンアミド、またはこれらの誘導体もしくは複合体である請求項２２に記載のキット。
【請求項２４】
Ｒ１、Ｒ２およびＲ３が、各々独立して、一つ以上のヘテロ原子を有していてもよいＣ１−１０アルキル基、Ｃ２−１０アルケニル基、Ｃ２−１０アルキニル基、Ｃ３−１０シクロアルキル基またはＣ４−１０アラルキル基である請求項２２に記載のキット。
【請求項２５】
Ｒ４が、一つ以上のヘテロ原子を有していてもよいＣ１−２０アルキル基、Ｃ２−２０アルケニル基、Ｃ２−２０アルキニル基、Ｃ３−２０シクロアルキル基またはＣ４−２０アラルキル基である請求項２２に記載のキット。
【請求項２６】
Ｒ５が、Ｃ１−３０アルキル基、Ｃ２−３０アルケニル基、Ｃ２−３０アルキニル基、Ｃ３−３０シクロアルキル基またはＣ４−３０アラルキル基である請求項２２に記載のキット。
【請求項２７】
Ｙが加水分解条件下で分解可能である請求項２２に記載のキット。
【請求項２８】
Ｙが、炭酸エステル結合、アミド結合、エステル結合またはこれらのあらゆる組み合わせから選択される請求項２７に記載のキット。
【請求項２９】
Ａ−が、塩化物イオン、臭化物イオン、ヨウ化物イオン、硫酸イオン、スルホン酸イオンまたは水酸化物イオンである請求項２２に記載のキット。
【請求項３０】
使用するときに、前記界面活性剤が、界面活性剤のない場合の前記化学発光標識の標準的発光時間よりも短縮された発光時間を提供し、前記短縮された発光時間は、塩化セチルトリメチルアンモニウムの発光時間に匹敵する請求項２２に記載のキット。
【請求項３１】
使用するときに、前記界面活性剤が、界面活性剤のない場合の前記化学発光標識の標準的発光と比較して、発光の増加を示し、前記増加した発光は、塩化セチルトリメチルアンモニウムの発光の増加に匹敵する請求項２２に記載のキット。
【請求項３２】
前記酸が硝酸であり、前記アルカリ性水酸化物が水酸化ナトリウムである請求項２２に記載のキット。